(57)【特許請求の範囲】
【請求項１】
給紙カセットから一枚ずつ紙を繰出し搬送ローラを経て記録部に導入する画像記録装置における該搬送ローラの加圧解除装置であって、該搬送ローラは駆動ローラと加圧ローラとより成り、上記給紙カセットの装着部には該給紙カセットの抜き差し動作に連動する摺動部材が設けられ、該給紙カセットの抜き出しに伴う摺動部材の作用により上記加圧ローラの加圧が解除され、
上記加圧ローラの駆動ローラに対する加圧が弾性部材によりなされ、上記摺動部材は該弾性部材に対し反付勢方向に作用するものである用紙加圧解除装置。
【請求項２】
上記給紙カセットと摺動部材との連動は、双方に設けられた係合部材の係合関係によってなされ、上記給紙カセットの抜き出しの際には上記係合関係が維持されて摺動部材が摺動し、該摺動部材が装置機体に当接してその摺動が阻止された後は係合関係が解除されて給紙カセットのみが外部に取り出し可能とされると共に、給紙カセットが取り出されたときには、摺動部材の上記作用により加圧ローラの加圧解除状態が維持されるようにした請求項１記載の用紙加圧解除装置。
【発明の詳細な説明】
【０００１】
【発明の属する技術分野】
本発明は、例えばファクシミリ装置、プリンター、複写機等の用紙搬送ローラの加圧解除装置に関するものである。
【０００２】
【従来の技術】
従来、ファクシミリ装置等の画像記録装置において、給紙部から記録部への紙送り部でジャムが発生したとき、給紙カセットを引き出してジャム紙を取り除こうとしても、駆動ローラとその加圧ローラに挟まれているため、多大の力を要したり又途中で引きちぎれたりして困難を究めていた。そこで、紙送り部に装置外へ開閉することができるカバー（いわゆるジャム解除カバ−）を設け、このカバーの内側に上記加圧ローラを取り付けるようにしたものが見受けられるようになった。
図６に従来のファクシミリ装置の概略断面図を示す。給紙カセット１が装置下部に設けられており、扇状のピックアップローラ２によりピックアップされた用紙１６が駆動ローラ５、加圧ローラ４とから成る紙送り部を経て記録部８において記録され記録紙トレイ９に搬送される。又原稿台７と原稿読取部６が装置上部に配置されている。加圧ローラ４はジャム紙取り出し用カバー３に取り付けられており、ジャム紙が発生したときジャム紙取り出し用カバー３を開くと、加圧ローラ４と駆動ローラ５とは離間されジャム紙の解除が容易となっていた。
【０００３】
【発明が解決しようとする課題】
上記のようなジャム解除カバーを採用した場合、新たにカバーを設ける必要がある上にカバー開閉のためのスペースが必要となる為、設置スペースが大きくなるという欠点があった。本発明はジャム解除カバー等を設けることを必要とせず、給紙カセットを引き出すと簡単にジャム紙が取り除かれることを可能にする用紙加圧解除装置を提供する。
【０００４】
【課題を解決するための手段】
上記課題を達成するために、請求項１に記載の発明においては、給紙カセットの抜き差し動作に連動する摺動部材（スライドプレート）が設けられ、該給紙カセットが抜き出されると該スライドプレートが摺動し加圧ローラの加圧が解除されることを要旨とする。
従って、駆動ローラと加圧ローラとが離間するため、給紙カセット導入口から容易にジャム紙を取り除くことができる。
【０００５】
【課題を解決するための手段】
さらに、請求項１に記載の発明では、該加圧ローラは弾性部材により駆動ローラに加圧されており、該スライドプレートが摺動すると、該弾性部材が反付勢方向に作用することを要旨とする。
従って、該加圧ローラは通常は弾性部材により駆動ローラに圧接されているが、該スライドプレートから摺動すると該弾性部材が押圧され、加圧ローラが駆動ローラから離間することになる。
【０００６】
請求項２に記載の発明では、該給紙カセットと該スライドプレートとの連動が双方に設けられた係合部材の係合関係によってなされ、該給紙カセットが引き出されるときには該スライドプレートが装置機体に当接するまでは係合関係が保たれ、さらに該給紙カセットが引き出される時は係合関係が解除され、該給紙カセットのみが引き出されると共に該スライドプレートの上記作用により、加圧ローラの加圧解除状態が維持されることを要旨とする。
従って、給紙カセットが引き出される時にスライドプレートは、加圧ローラの加圧が解除される位置まで給紙カセットとの係合関係により連動されることになり、加圧ローラが駆動ローラから離間させられることになる。
【０００７】
【発明の実施の形態】
以下、本発明の一実施例を図１ないし図６にもとずいて詳細に説明する。
【０００８】
本発明は、図６のような画像記録装置に適用される。つまり、給紙カセットは装置の正面方向（図の表裏方向）に抜き差しされ、記録用紙は装置正面からみて先ず左側へ搬送されそれから反転されつつ右側上方へ記録部を通り搬送される構成になっている。従って、給紙カセットの抜き差し方向と記録用紙の搬送方向は直交する方向にある。
給紙カセットは装置本体下部に設置される為、装置本体の正面下部には大きな空所があり、この空所は装置の正面側に開口している。
【０００９】
図１に本発明による紙送り部の詳細を、図２にスライドプレート１０、加圧ローラ４、加圧ローラ４の弾性支持台１４、押圧板バネ１３の位置関係の詳細を示す。
【００１０】
加圧ローラ４は板バネから構成されている弾性支持台１４により支持されている。弾性支持台１４は一方を装置本体に固定され、加圧ローラ４を駆動ローラ５に弾性付勢している。
【００１１】
押圧板バネ１３は、前記弾性支持台１４に対向した位置に、自由端どうしを対面させるように一方を装置本体に固定されている。通常は押圧板バネ１３と該弾性支持台１４は接触していなく、加圧ローラ４は弾性支持台１４の弾性により、駆動ローラ５に圧接状態になっている。
【００１２】
図３に示すように、給紙カセット１の紙送り出し方向側面にスライドプレート１０が、該給紙カセット１の抜き差し方向と同方向に摺動可能に取り付けられている。
スライドプレート１０の摺動範囲は装置本体の前後のあたり面により規制されており、給紙カセットが引き出され、前側のあたり面にスライドプレート１０が当接して（一番手前にあるとき）その動きが阻止された状態では、スライドプレート１０上に設けられている凸部１２が押圧板バネ１３と係合するような位置関係にある。
【００１３】
図４にスライドプレート１０に設けられている係合部材１１を、図５に給紙カセット１に設けられている係合部材１５を示す。
図４−ａはスライドプレート１０の係合部材１１を表側から見た斜視図、図４−ｂは裏側から見た斜視図、図５−ａは給紙カセットの係合部材１５部の斜視図、図５−ｂは同じく側面図である。
係合部材１１はスライドプレート１０の垂直面に、その長手方向に沿って樹脂一体成形された２枚の平行な板状体で構成されている。その一端には内側に接近するように湾曲した部分１１ａと、それに続く長い平坦部を有している。湾曲部１１ａは弾性を持たせるように、スライドプレート１０の本体部分に窓１６を設け本体より切り離して独立させている。従って係合部材１１の湾曲部１１ａは、２枚の対向する板が、接近−離反する方向に弾性を持っている。
係合部材１５は給紙カセット１と一体成形されており樹脂性であって、卵形の長円形の突起物である。給紙カセットの引き出す方向が大曲率部であり、差し込む方向が小曲率部である。そして係合部材１５はスライドプレート１０の係合部材１１と係合するようになっている。
【００１４】
スライドレール１０上に設けられている凸部１２は押圧板バネ１３と係合位置にあり、引出し方向一番手前にある時は、凸部１２の斜面になっている曲面１２ａが、押圧板バネ１３の側面である適当なむかえ角θを持った案内面１３ａに係合して押圧板バネ１３を押圧し、凸部１２の先端の平行部１２ｂにて押圧板バネ１３を、スライドプレート摺動方向、つまり給紙カセット引出し方向に対して直角の方向である紙送り出し方向に押圧した状態で停止している。つまり押圧板バネ１３は、給紙カセットの引出し方向の力を、それとは直行する方向に効果的に変換する特徴を持つ。その結果、給紙カセット１の引出し方向と直行して配置されている押圧ローラ４を駆動ローラ５から平行に離間させる効果がある。
【００１５】
係合部材１１の２枚の板の平行部分は係合部材１５の大曲率部より広く、湾曲して対向している部分は係合部材１５の大曲率部の径より若干狭くなっている。
【００１６】
ジャムが発生して給紙カセット１を引き出すと、スライドプレート１０の係合部材１１の平行部を給紙カセット１の係合部材１５が走行しているあいだは、スライドプレート１０は静止しており、係合部材１１の湾曲部１１ａに係合部材１５の大曲率部が係合すると、スライドプレート１０は給紙カセット１と連動して動くようになる。スライドプレート１０の摺動が装置本体の当たり面により停止すると凸部１２により押圧板バネ１３が１３ａの位置まで押圧された状態になり、弾性ローラ４の弾性支持台１４が１４ａまで弾性変形され、押圧ローラ４が駆動ローラ５から離間した状態になる。
【００１７】
それでも尚給紙カセット１が引き出されようとすると、係合部材１１は開口する方向に弾性を持っているため、給紙カセット側係合部材１５は、係合部材１１を押し広げて摺動し、係合関係を解除して、給紙カセットのみ引き出されることになる。
つまり、給紙カセット１が引き出された状態では、スライドプレート１０の凸部１２が押圧板バネ１３を押圧した状態にあり、押圧ローラ４は駆動ローラ５から離間した状態に維持される。
【００１８】
給紙カセット１を挿入する時は、係合部材１５の小曲率部から押し込まれることになり、スライドプレート１０の係合部材１１との係合が容易に行われるようになっている。係合部材１５の大曲率部が係合部材１１の湾曲部１１ａに係合すると、スライドプレート１０は給紙カセット１と連動を始め、凸部１２が押圧板バネ１３から離れると押圧ローラ４と駆動ローラ５とは圧接状態に戻ることになる。スライドプレート１０の連動が装置本体のあたり面により停止すると、係合部材１５の大曲率部が、係合部材１１の湾曲部１１ａを摺動通過し、給紙カセット１は所定の位置に納まることになる。
【００１９】
【発明の効果】
本発明は、以上説明したように構成されているので、以下に記載されるような効果を奏する。ファクシミリ等の画像記録装置の紙送り機構において、ジャムが発生した際、給紙カセットを引き出すだけで、加圧ローラと駆動ローラとの圧接状態を解除して、給紙カセット挿入口から容易にジャム紙を取り出すことが出来る。
しかも、ジャム紙取り出し専用のカバーを必要としないため、装置の構造も簡単になり、カバー開閉用のスペースも不必要となるため設置スペースも小さく出来る。
【図面の簡単な説明】
【図１】は本発明による紙送り部の拡大断面図である。
【図２】は本発明による加圧ローラ部の拡大斜視図である。
【図３】は本発明による給紙カセット部の概略斜視図である。
【図４】は本発明によるスライドプレートの係合部材拡大斜視図であって（ａ）は表から見たもの（ｂ）は裏側から見たものである。
【図５】は本発明による給紙カセットの係合部材拡大図であって、（ａ）は斜視図、（ｂ）は側面図  である。
【図６】は従来のファクシミリ装置の正面断面図である。
【符号の説明】
１      給紙カセット
４      加圧ローラ
５      駆動ローラ
１０      スライドプレート（摺動部材）
１３      押圧板バネ
１４      弾性支持台（弾性部材）
【図１】
0003567631.tif 000002
【図２】
0003567631.tif 000003
【図３】
0003567631.tif 000004
【図４】
0003567631.tif 000005
【図５】
0003567631.tif 000006
【図６】
0003567631.tif 000007